(57)【特許請求の範囲】
【請求項１】
ハウジング本体上部に設けられた可撓ロックアームを有する一方のコネクタハウジングと、前記可撓ロックアームのロック部に係合する係合部を有して前記一方のコネクタハウジングに嵌合させた際に前記ロック部と前記係合部との係合によって前記一方のコネクタハウジングに連結される他方のコネクタハウジングと、前記ロック部に係合可能な位置決め係止部を備えて前記一方のコネクタハウジングに該コネクタハウジング相互の嵌合方向に沿ってスライド可能に装着され、スライド移動の可否によって前記コネクタハウジング相互の中途嵌合状態を検知する嵌合検知部材とを備えた半嵌合防止コネクタの組み付け方法であって、
前記コネクタハウジング相互の嵌合前は、前記嵌合検知部材が、前記一方のコネクタハウジングの外周に嵌合すると共に前記ロック部と前記位置決め係止部との係合によって初期位置に位置規制され、前記コネクタハウジング相互の嵌合操作時には、前記一方のコネクタハウジングに装着された前記嵌合検知部材を該一方のコネクタハウジングの嵌合方向前方に押すことで、前記他方のコネクタハウジングの前記係合部を前記可撓ロックアームの前記ロック部に係合させて、前記コネクタハウジング相互が完全嵌合されると共に、前記係合部の前記ロック部への係合に伴って前記位置決め係止部が前記ロック部から押し出されて、前記一方のコネクタハウジングの初期位置に対する前記嵌合検知部材の位置規制が解除されて、更に前記嵌合検知部材が前記初期位置から前記一方のコネクタハウジングの前端寄りの適正嵌合検知位置にスライド移動すると共に、前記嵌合検知部材を前記適正嵌合検知位置に位置規制するために前記嵌合検知部材に複数設けられた係止手段により前記嵌合検知部材が前記適正嵌合検知位置に位置規制されることで前記コネクタハウジング相互の完全嵌合状態を検知することを特徴とする半嵌合防止コネクタの組み付け方法。
【請求項２】
ハウジング本体上部に設けられた可撓ロックアームを有する一方のコネクタハウジングと、前記可撓ロックアームのロック部に係合する係合部を有して前記一方のコネクタハウジングに嵌合させた際に前記ロック部と前記係合部との係合によって前記一方のコネクタハウジングに連結される他方のコネクタハウジングと、前記一方のコネクタハウジングに該コネクタハウジング相互の嵌合方向に沿ってスライド可能に装着され、スライド移動の可否によって前記コネクタハウジング相互の中途嵌合状態を検知する嵌合検知部材とを備えた半嵌合防止コネクタであって、
前記嵌合検知部材は、前記コネクタハウジング相互の嵌合方向に沿ってスライド可能に前記一方のコネクタハウジングの外周に嵌合する略筒状の検知部材本体と、前記ロック部との係合によって前記検知部材本体を初期位置に規制する位置決め係止部とを備えると共に、前記コネクタハウジング相互の嵌合前は、前記ロック部と前記位置決め係止部の係合によって前記初期位置に位置規制され、且つ前記コネクタハウジング相互の完全嵌合時は、前記係合部の前記ロック部への係合に伴って前記位置決め係止部が前記ロック部から押し出されて前記ロック部との係合状態が解除されることで、前記検知部材本体が前記初期位置から前記一方のコネクタハウジングの前端寄りの適正嵌合検知位置にスライド移動すると共に、前記一方のコネクタハウジングと前記嵌合検知部材とを相互に係止するために前記嵌合検知部材に複数設けられた係止手段によって、前記嵌合検知部材が前記適正嵌合検知位置に位置規制されることを特徴とする半嵌合防止コネクタ。
【請求項３】
前記嵌合検知部材は、初期位置では前記一方のコネクタハウジングの後端から突出すると共に前記適正嵌合検知位置では前記一方のコネクタハウジングの外周上に位置する延長部を備え、
前記延長部の位置が前記嵌合検知部材の前記初期位置と前記適正嵌合検知位置とで顕著に異なることを特徴とする請求項２に記載の半嵌合防止コネクタ。
【請求項４】
前記係止手段は、前記嵌合検知部材を前記一方のコネクタハウジングの前方位置で係止する第１係止手段と、前記一方のコネクタハウジングの後方位置で係止する第２係止手段とからなることを特徴とする請求項２又は３に記載の半嵌合防止コネクタ。
【請求項５】
前記第１係止手段は、前記位置決め係止部と、前記可撓ロックアームの先端縁である検知部材係止部からなることを特徴とする請求項４に記載の半嵌合防止コネクタ。
【請求項６】
前記第２係止手段は、前記一方のコネクタハウジングの底部後方に設けられた第１突部と、前記嵌合検知部材内周の底部に設けられた第２突部、
又は前記一方のコネクタハウジングの底部後方に設けられた可撓係止部と、前記嵌合検知部材内周の側壁下部に渡設された係止リブであることを特徴とする請求項４に記載の半嵌合防止コネクタ。
【請求項７】
前記第２係止手段は、前記可撓ロックアーム後端の両側面に設けられた係止突部と、前記嵌合検知部材後端の両内側面上部に設けられた係止片、
又は前記可撓ロックアームの側部に隣接した後端上部に掛り爪を有する検知部材係止アームと、前記嵌合検知部材の上壁後方に設けられた係止壁であることを特徴とする請求項４に記載の半嵌合防止コネクタ。
【請求項８】
前記嵌合検知部材は、前記係止手段によって前記適正嵌合検知位置に位置規制される時に要する挿入力が前記コネクタハウジング相互の嵌合に要する挿入力より小さくなるように設定されていることを特徴とする請求項２乃至７の何れか一項に記載の半嵌合防止コネクタ。
【請求項９】
前記第１突部と前記第２突部との係り代高さは、前記ロック部と前記係合部との係り代高さに比べて低く設定されているか、
又は前記係止片のテーパ面の傾斜角度は、前記係合部の傾斜角度より小さく設定されていることを特徴とする請求項８に記載の半嵌合防止コネクタ。
【請求項１０】
前記嵌合検知部材の前記初期位置と前記適正嵌合検知位置とで、前記一方のコネクタハウジングの外観に明確な色彩変化が生じるように、前記嵌合検知部材の外表面と、少なくとも前記嵌合検知部材から露出する前記一方のコネクタハウジングの外表面とに異なる彩色を施したことを特徴とする請求項２乃至請求項５の何れか一項に記載の半嵌合防止コネクタ。
【発明の詳細な説明】
【０００１】
【発明の属する技術分野】
本発明は、一組の雌雄コネクタハウジング相互を嵌合させた際に、一方のコネクタハウジングに装着された嵌合検知部材の適正嵌合検知位置へのスライド移動の可否によって、雌雄コネクタハウジング相互の中途嵌合状態を検知する半嵌合防止コネクタの組み付け方法及び半嵌合防止コネクタに関するものである。
【０００２】
【従来の技術】
従来の半嵌合防止コネクタは、図１８及び図１９に示したように雄コネクタハウジング１と雌コネクタハウジング９との一組の雌雄コネクタハウジング１，９相互を嵌合させた際に、一方の雄コネクタハウジング１に装着された嵌合検知部材２の適正嵌合検知位置へのスライド移動の可否によって、雌雄コネクタハウジング１，９相互の中途嵌合状態を検知するものである。（特開平８−３１５１７号公報参照）
【０００３】
図１９に示したように雄コネクタハウジング１は、上壁３の前端側から立ち上がってハウジング後方に延びる可撓ロックアーム４を有しており、この可撓ロックアーム４の中間部上面にはロック部６が突設されている。
また、雄コネクタハウジング１の後端寄りに位置する可撓ロックアーム４の自由端には、雌雄コネクタハウジング相互の嵌合時に可撓ロックアーム４を可撓変位させる操作部である押圧板部７が設けられている。
【０００４】
また、前記雌コネクタハウジング９は、雌雄コネクタハウジング１，９相互の嵌合の際に前記可撓ロックアーム４の上に被さる上壁の内面側前端に係合部１０を有している。
図２０及び図２１に示したように、前記係合部１０は、雌雄コネクタハウジング１，９相互の嵌合時の嵌合長が適正値に達する時に、前記可撓ロックアーム４の可撓変位を介して前記ロック部６を乗り越える。そして、雌雄コネクタハウジング１，９相互の嵌合長が適正値に達した時に、前記係合部１０が前記ロック部６の後方の凹部６ａに上方から係合することでロック部６を係止して、雌雄コネクタハウジング相互の嵌合状態をロックする。
【０００５】
図１８及び図１９に示したように、前記嵌合検知部材２は、前記雌雄コネクタハウジング相互の嵌合方向に沿ってスライド可能に前記押圧板部７に係合する操作板部１６と、この操作板部１６の後端部から雌雄コネクタハウジングの前端側に向かって延出した弾性片１７と、この弾性片１７の先端に突設された位置決め係止部２０とを一体形成したものである。なお、前記弾性片１７は、前記可撓ロックアーム４を構成する一組の側板部５，５間の空間を挿通可能な棒状を呈している。
【０００６】
また、図１８に示すように、前記位置決め係止部２０は、前記弾性片１７による付勢力で前記ロック部６の前後の凹部６ａ，６ｂに下側から嵌入可能な突起で、雌雄コネクタハウジング相互の嵌合前は、ロック部６の後方の凹部６ａに嵌合した状態で、ロック部６の後縁に係止されて前方への移動が規制される。
【０００７】
前記位置決め係止部２０がロック部６の後縁に当接して前方への変位が規制された位置が、雄コネクタハウジング１に装着された嵌合検知部材２の初期位置である。
また、前記押圧板部７と操作板部１６との間のスライド可能な係合は、前記初期位置よりも前方に設定された適正嵌合検知位置と前記初期位置との間を嵌合検知部材２がスライド可能となるようにスライド可能な範囲が設定されている。
【０００８】
図２１に示したように、一組の雌雄コネクタハウジング１，９相互を嵌合させた際、雌雄コネクタハウジング１，９相互の嵌合長が適正値に達して、ロック部６の後方の凹部６ａに雌コネクタハウジング９の係合部１０が嵌入する。
これにより、前記凹部６ａに嵌合していた嵌合検知部材２の位置決め係止部２０が、係合部１０によって下方に押し出されて、位置決め係止部２０に対する初期位置への位置規制が解除される。その結果、嵌合検知部材２は、図中に矢印Ａで示したように、操作板部１６を前方に押すとスライド可能となる。
【０００９】
図２２に示したように、前記位置決め係止部２０は、初期位置への位置規制が解除された状態で嵌合検知部材２を前方に移動操作すると、係合部１０及びロック部６の下面を摺接して前方に進む。そして、前記位置決め係止部２０は、前記ロック部６の前縁を越えたときに、弾性片１７の付勢力で上方に変位してロック部６の前方の凹部６ｂに嵌入する。
これにより、前記凹部６ｂに嵌入した位置決め係止部２０は、その後端面がロック部６の前端面によって係止され、後方へのスライド移動が規制されたロック状態となる。
【００１０】
ところが、前記雌雄コネクタハウジング１，９相互を嵌合させた際に、前記雌雄コネクタハウジング１，９相互の嵌合長が適正値に到達せずに、中途嵌合状態の場合には、雌コネクタハウジング９の係合部１０がロック部６の後方の凹部６ａに嵌入しない。
そのため、前記位置決め係止部２０が、前記係合部１０によって凹部６ａから押し出されることがなく、前記ロック部６による嵌合検知部材２の初期位置への位置規制が解除されない。
従って、雌雄コネクタハウジング相互の中途嵌合時には、嵌合検知部材２の操作板部１６を前方に押しても、前記嵌合検知部材２が前方に移動することはなく、この嵌合検知部材２の前方への移動の可否によって中途嵌合状態を検知することができる。
【００１１】
【発明が解決しようとする課題】
ところで、前述した一組の雌雄コネクタハウジング１，９のハウジング嵌合操作として、各々コネクタハウジング１，９を直接手指で持ってから双方のコネクタハウジング１，９を嵌合させる。
次に、双方のコネクタハウジング１，９の嵌合状態を検知するための検知部材移動操作として、一方の雄コネクタハウジング１を持っていた手指の位置を嵌合検知部材２の操作板部１６を押す位置に変更して、嵌合検知部材２を初期位置から適正嵌合検知位置に移動させる。
更に、嵌合検知部材２が正常に適正嵌合検知位置に移動できても、ロック部６の破損等で雌雄コネクタハウジング相互のロック状態が不完全でないかどうかを確認するハウジング引張確認操作として、左右の手指で双方のコネクタハウジングを持って、互いに離脱方向に引っ張って雌雄コネクタハウジング相互のロック状態を確認する。
従って、上記３つの独立した操作を順に実施しなければならず、操作数が多いという問題があった。
また、次の操作に移る際には、その都度、雄コネクタハウジング１側では、雄コネクタハウジング１の側面を把持していた手指の位置を嵌合検知部材２の操作板部１６上に変更したり、或いは嵌合検知部材２に添えていた手指の位置を雄コネクタハウジング１の側面に変更する必要があり、手指の位置の変更のために作業効率が低下するという問題もあった。
【００１２】
更に、前述した嵌合検知部材２は、雄コネクタハウジング１上の可撓ロックアーム４に嵌合する比較的小さな部品で、雄コネクタハウジング１と嵌合検知部材２が、各々略同色の樹脂材料により形成されているため、雄コネクタハウジング１に組み付けた状態では目立ち難い。そのため、保守点検等の際に嵌合検知部材２が初期位置にあるか又は適正嵌合検知位置にあるかを目視で確認することが容易でなかったという問題があった。
【００１３】
本発明は、上記問題に鑑みて成されたものであり、コネクタハウジング相互を接続する際、ハウジング嵌合操作と検知部材移動操作とを一つの操作で同時に完了させることができて、コネクタハウジング相互の接続時の操作数を低減させることができる半嵌合防止コネクタ及び半嵌合防止コネクタの組み付け方法を提供することを目的とする。
また、次の操作に移る際に、ハウジングを持つ手指の位置の変更も必要なく、効率良く次の操作を実施することができ、コネクタハウジング相互を接続する際の作業効率を向上させることができる半嵌合防止コネクタ及び半嵌合防止コネクタの組み付け方法を提供することを目的とする。
更に、保守点検等の際に嵌合検知部材が初期位置にあるか又は適正嵌合検知位置にあるかを目視で容易に確認することができる半嵌合防止コネクタを提供することを目的とする。
【００１４】
【課題を解決するための手段】
本発明の請求項１に係る半嵌合防止コネクタの組み付け方法は、ハウジング本体上部に設けられた可撓ロックアームを有する一方のコネクタハウジングと、前記可撓ロックアームのロック部に係合する係合部を有して前記一方のコネクタハウジングに嵌合させた際に前記ロック部と前記係合部との係合によって前記一方のコネクタハウジングに連結される他方のコネクタハウジングと、前記ロック部に係合可能な位置決め係止部を備えて前記一方のコネクタハウジングに該コネクタハウジング相互の嵌合方向に沿ってスライド可能に装着され、スライド移動の可否によって前記コネクタハウジング相互の中途嵌合状態を検知する嵌合検知部材とを備えた半嵌合防止コネクタの組み付け方法であって、前記コネクタハウジング相互の嵌合前は、前記嵌合検知部材が、前記一方のコネクタハウジングの外周に嵌合すると共に前記ロック部と前記位置決め係止部との係合によって初期位置に位置規制され、前記コネクタハウジング相互の嵌合操作時には、前記一方のコネクタハウジングに装着された前記嵌合検知部材を該一方のコネクタハウジングの嵌合方向前方に押すことで、前記他方のコネクタハウジングの前記係合部を前記可撓ロックアームの前記ロック部に係合させて、前記コネクタハウジング相互が完全嵌合されると共に、前記係合部の前記ロック部への係合に伴って前記位置決め係止部が前記ロック部から押し出されて、前記一方のコネクタハウジングの初期位置に対する前記嵌合検知部材の位置規制が解除されて、更に前記嵌合検知部材が前記初期位置から前記一方のコネクタハウジングの前端寄りの適正嵌合検知位置にスライド移動すると共に、前記嵌合検知部材を前記適正嵌合検知位置に位置規制するために前記嵌合検知部材に複数設けられた係止手段により前記嵌合検知部材が前記適正嵌合検知位置に位置規制されることで前記コネクタハウジング相互の完全嵌合状態を検知することを特徴とする。
【００１５】
前記構成の半嵌合防止コネクタの組み付け方法によれば、一方のコネクタハウジングに装着された嵌合検知部材を嵌合方向前方に押すことで、コネクタハウジング相互が完全嵌合されて、更に嵌合検知部材が適正嵌合検知位置にスライド移動すると共に位置規制される。そのため、コネクタハウジング相互の嵌合操作と検知部材移動操作を１回の押圧操作によって完了させることができる。
【００１６】
上記目的を達成するための本発明の請求項２に係る半嵌合防止コネクタは、ハウジング本体上部に設けられた可撓ロックアームを有する一方のコネクタハウジングと、前記可撓ロックアームのロック部に係合する係合部を有して前記一方のコネクタハウジングに嵌合させた際に前記ロック部と係合部との係合によって前記一方のコネクタハウジングに連結される他方のコネクタハウジングと、前記一方のコネクタハウジングに該コネクタハウジング相互の嵌合方向に沿ってスライド可能に装着され、スライド移動の可否によって前記コネクタハウジング相互の中途嵌合状態を検知する嵌合検知部材とを備えた半嵌合防止コネクタであって、前記嵌合検知部材は、前記コネクタハウジング相互の嵌合方向に沿ってスライド可能に前記一方のコネクタハウジングの外周に嵌合する略筒状の検知部材本体と、前記ロック部との係合によって前記検知部材本体を初期位置に規制する位置決め係止部とを備えると共に、前記コネクタハウジング相互の嵌合前は、前記ロック部と前記位置決め係止部の係合によって前記初期位置に位置規制され、且つ前記コネクタハウジング相互の完全嵌合時は、前記係合部の前記ロック部への係合に伴って前記位置決め係止部が前記ロック部から押し出されて前記ロック部との係合状態が解除されることで、前記検知部材本体が前記初期位置から前記一方のコネクタハウジングの前端寄りの適正嵌合検知位置にスライド移動すると共に、前記一方のコネクタハウジングと前記嵌合検知部材とを相互に係止するために前記嵌合検知部材に複数設けられた係止手段によって、前記嵌合検知部材が前記適正嵌合検知位置に位置規制されることを特徴とする。
【００１７】
上記構成の半嵌合防止コネクタによれば、一方のコネクタハウジングに装着された嵌合検知部材は、他方のコネクタハウジングへの嵌合前には、ロック部との係止により一方のコネクタハウジングの外周を略覆うように初期位置に位置規制されている。そのため、一組の雌雄コネクタハウジング相互を嵌合させるハウジング嵌合操作の際には、嵌合検知部材を手指で掴んだまま嵌合操作を行うことができる。
【００１８】
また、前記ハウジング嵌合操作の終了後には、雌雄コネクタハウジング相互の嵌合状態の検知のために嵌合検知部材を初期位置から適正嵌合検知位置に移動させる検知部材移動操作を行う。この時、ハウジング嵌合操作の際に嵌合検知部材を手指で掴んでいれば、次の検知部材移動操作の際には、嵌合検知部材を掴んでいる手指の位置を変更することなく嵌合検知部材をハウジング前方に押すだけで移動させることができる。
即ち、前記検知部材移動操作は、嵌合検知部材をハウジング前方に移動させる操作で、ハウジング嵌合操作時と付勢方向が同一のため、ハウジング嵌合操作を行うための１回の押圧操作で、一挙に検知部材移動操作まで完了させることができる。
【００１９】
更に、嵌合検知部材が適正嵌合検知位置に到達すれば、一方のコネクタハウジングと嵌合検知部材とを相互に係止する係止手段によって、嵌合検知部材のスライド移動が規制される。
従って、雌雄ハウジング相互を離脱方向に引っ張るハウジング引張確認操作は、引き続いて嵌合検知部材をハウジング後方側に引っ張れば良く、検知部材移動操作からハウジング引張確認操作に移行する際にも、嵌合検知部材を持つ手指の位置等を変更する必要がない。
【００２０】
また、本発明の請求項３に係る半嵌合防止コネクタは、請求項２記載の半嵌合防止コネクタであって、好ましくは前記嵌合検知部材は、初期位置では前記一方のコネクタハウジングの後端から突出すると共に前記適正嵌合検知位置では前記一方のコネクタハウジングの外周上に位置する延長部を備え、前記延長部の位置が前記嵌合検知部材の前記初期位置と前記適正嵌合検知位置とで顕著に異なることを特徴とする。
前記構成の半嵌合防止コネクタによれば、組み付け時や保守点検等の際に嵌合検知部材が初期位置にあるか又は適正嵌合検知位置にあるかを前記延長部の位置の目視で容易に確認することができる。
【００２１】
また、本発明の請求項４に係る半嵌合防止コネクタは、請求項２又は３に記載の半嵌合防止コネクタであって、好ましくは前記係止手段は、前記嵌合検知部材を前記一方のコネクタハウジングの前方位置で係止する第１係止手段と、前記一方のコネクタハウジングの後方位置で係止する第２係止手段とからなることを特徴とする。
前記構成の半嵌合防止コネクタによれば、嵌合検知部材の適正嵌合検知位置への係止を、嵌合検知部材の前方と後方で行うことができる。そのため、嵌合検知部材を適正嵌合検知位置に強固に係止することができる。
【００２２】
また、本発明の請求項５に係る半嵌合防止コネクタは、請求項４に記載の半嵌合防止コネクタであって、好ましくは前記第１係止手段は、前記位置決め係止部と、前記可撓ロックアームの先端縁である検知部材係止部からなることを特徴とする。
前記構成の半嵌合防止コネクタによれば、第１係止手段として専用の係止孔等を形成する必要がなく、前記位置決め係止部と、可撓ロックアームの先端縁である検知部材係止部によって第１係止手段を構成することができ、嵌合検知部材及び一方のコネクタハウジングの構成形状を簡素化することができる。
【００２３】
また、本発明の請求項６に係る半嵌合防止コネクタは、請求項４に記載の半嵌合防止コネクタであって、好ましくは前記第２係止手段は、前記一方のコネクタハウジングの底部後方に設けられた第１突部と、前記嵌合検知部材内周の底部に設けられた第２突部、又は前記一方のコネクタハウジングの底部後方に設けられた可撓係止部と、前記嵌合検知部材内周の側壁下部に渡設された係止リブであることを特徴とする。
前記構成の半嵌合防止コネクタによれば、嵌合検知部材の適正嵌合検知位置への係止を嵌合検知部材の前方上部と後方底部で行うことができ、嵌合検知部材と一方のコネクタハウジングとのガタ付きを抑えて、さらに強固に係止することができる。
【００２４】
また、本発明の請求項７に係る半嵌合防止コネクタは、請求項４に記載の半嵌合防止コネクタであって、好ましくは前記第２係止手段は、前記可撓ロックアーム後端の両側面に設けられた係止突部と、前記嵌合検知部材後端の両内側面上部に設けられた係止片、又は前記可撓ロックアームの側部に隣接した後端上部に掛り爪を有する検知部材係止アームと、前記嵌合検知部材の上壁後方に設けられた係止壁であることを特徴とする。
前記構成の半嵌合防止コネクタによれば、第１，第２係止手段が上面に位置しているので、係止状態を目視で確認することができ、コネクタハウジングの嵌合状態を目視で検知することができる。さらに、第１，第２係止手段が上面に位置していることで、係止手段の解除操作を目視で確認しながら行うことができるので、解除操作性を向上させることができる。
【００２５】
また、本発明の請求項８に係る半嵌合防止コネクタは、請求項２乃至７の何れか１項に記載の半嵌合防止コネクタであって、好ましくは前記嵌合検知部材は、前記係止手段によって前記適正嵌合検知位置に位置規制される時に要する挿入力が前記コネクタハウジング相互の嵌合に要する挿入力より小さくなるように設定されていることを特徴とする。
また、本発明の請求項９に係る半嵌合防止コネクタは、請求項８に記載の半嵌合防止コネクタであって、好ましくは前記第１突部と前記第２突部との係り代高さは、前記ロック部と前記係合部との係り代高さに比べて低く設定されているか、又は前記係止片のテーパ面の傾斜角度は、前記係合部の傾斜角度より小さく設定されていることを特徴とする。
【００２６】
前記構成の半嵌合防止コネクタによれば、コネクタハウジング相互の嵌合操作に要する挿入力に比べて検知部材移動操作に要する挿入力が小さいので、コネクタハウジング相互の嵌合操作時における押圧慣性力によって検知部材移動操作を行うことができる。従って、コネクタハウジング相互の嵌合操作と検知部材移動操作を一度の押圧によって連続的に行うことができる。
【００２７】
更に、本発明の請求項１０に係る半嵌合防止コネクタは、請求項２乃至９の何れか一項に記載の半嵌合防止コネクタであって、好ましくは前記嵌合検知部材の前記初期位置と前記適正嵌合検知位置とで、前記一方のコネクタハウジングの外観に明確な色彩変化が生じるように、前記嵌合検知部材の外表面と、少なくとも前記嵌合検知部材から露出する前記一方のコネクタハウジングの外表面とに異なる彩色を施したことを特徴とする。
前記構成の半嵌合防止コネクタによれば、組み付け時や保守点検等の際に嵌合検知部材が初期位置にあるか又は適正嵌合検知位置にあるかを一方のコネクタハウジングと嵌合検知部材とで形成する彩色パターンを目視することで、容易に確認することができる。
【００２８】
【発明の実施の形態】
以下、本発明に係る半嵌合防止コネクタの第１実施形態を図１乃至図６に基づいて詳細に説明する。図１は本発明の半嵌合防止コネクタの第１実施形態を示す分解斜視図、図２は図１における雌コネクタハウジングに嵌合検知部材を組み付けた状態を示す斜視図、図３は図２における縦断面図、図４は図１における雌雄コネクタハウジング相互の嵌合中の状態を示す斜視図、図５は図４における縦断面図、図６は図５における雌雄コネクタハウジング相互の完全嵌合状態を示す縦断面図である。
【００２９】
図１に示すように本実施形態の半嵌合防止コネクタ３１は、可撓ロックアーム４１を有する一方のコネクタハウジングである雌コネクタ４０と、前記可撓ロックアーム４１上に設けられたロック部である係止孔４２に係合する係合部である係合突起５１を有する他方のコネクタハウジングである雄コネクタ５０と、雌コネクタ４０に嵌合方向に沿ってスライド可能に装着される略筒状の嵌合検知部材６０とから構成されている。
即ち、前記嵌合検知部材６０は、雌雄コネクタ４０，５０相互の嵌合前は前記係止孔４２との係合によって初期位置に位置規制される。そして、雌雄コネクタ４０，５０相互の完全嵌合時には、前記係止孔４２による位置規制が係合突起５１の係止孔４２への係合動作によって解除され、前記初期位置から所定距離離れた適正嵌合検知位置にスライド移動する。従って、この嵌合検知部材６０の適正嵌合検知位置へのスライド移動の可否によって、雌雄コネクタ４０，５０相互の中途嵌合状態を検知することができる。
【００３０】
本実施形態の雌コネクタ４０は、図示していない雌形接続端子を収容保持する端子収容室４０ａが形成されたハウジング本体４０ｂと、該ハウジング本体の上面に形成された前記可撓ロックアーム４１と、嵌合検知部材６０をスライド可能に支持するためのガイド部４３とが一体成形された構造である。また、ハウジング本体４０ｂの前端には、フロントホルダ４０ｃが装着されており、ハウジング本体４０ｂと連続した端子収容室４０ａを形成している。
【００３１】
前記可撓ロックアーム４１は、ハウジング本体４０ｂ上面の略中央に立設された支柱部４４の上端に、ハウジング本体４０ｂの前後方向に沿って延びるアーム部４５を連設したもので、該アーム部４５が支柱部４４を支点に上下方向に可撓変位可能になっている。
【００３２】
また、前記可撓ロックアーム４１の係止孔４２は、アーム部４５の前端寄りの位置に設けられている。また、アーム部４５の後端寄りの上面は、アーム部４５の前端を上方に変位させるための解除操作部４５ａが設けられている。
従って、雌雄コネクタ４０，５０が嵌合して、雄コネクタ５０の係合突起５１が係止孔４２に係合している状態で、解除操作部４５ａを押下してアーム部４５の前端を上方に変位させると、係止孔４２と係合突起５１との係合状態を解除することができる。
【００３３】
また、前記ガイド部４３は、可撓ロックアーム４１を挟むように、ハウジング本体４０ｂ上面の両側に形成されている。この各々ガイド部４３は、外側面部にハウジング本体４０ｂの前後方向に沿って延在するガイド溝４３ａを有している。
【００３４】
更に、図３に示すように、本実施形態の雌コネクタ４０は、可撓ロックアーム４１の反対側の外周に嵌合方向に対して直交する横方向に延設された第２係止手段であるリブ状の第１突部４８を有している。また、第１突部４８の形状においては、緩やかな傾斜面を有する断面三角形状や半円形状が望ましい。該第１突部４８は、後述する第２突部６７と係合して、完全嵌合後に嵌合検知部材６０が後方へ移動することを防止する。
【００３５】
また、図１に示すように、本実施形態の雄コネクタ５０は、図示していない雄形接続端子を収容する端子収容室５０ａが形成されたハウジング本体５０ｂの上面に、前記係止孔４２に係合する前記係合突起５１と、前記可撓ロックアーム４１と前記ガイド部４３との間の隙間４７に挿通する突条部５３とを備えている。前記端子収容室５０ａは、雌コネクタ４０の端子収容室４０ａに収容された前記雌形接続端子と接続する図示していない雄形接続端子を収容保持するもので、端子収容室４０ａと同じ配列ピッチに形成されている。
【００３６】
また、前記係合突起５１は、ハウジング本体５０ｂ上面の前端寄りの位置に突設されており、雌雄コネクタ４０，５０相互を嵌合させた際に、可撓ロックアーム４１のアーム部４５下面に摺接して進む。そして、該雌雄コネクタ相互の嵌合長が規程長に達すると、アーム部４５の下方から係止孔４２に嵌入して、該係止孔内に係合する。
【００３７】
また、前記突条部５３は、雌コネクタ４０側の隙間４７に挿通することで、雌雄コネクタ４０，５０相互の嵌合方向や嵌合位置を規制して、雌雄コネクタ４０，５０相互の嵌合動作を円滑にする。
【００３８】
また、本実施形態の嵌合検知部材６０は、雌雄コネクタ４０，５０相互の嵌合方向に沿ってスライド可能に雌コネクタ４０の外周に嵌合して前記ハウジング本体４０ｂの周囲を覆う略筒状の検知部材本体６１と、前記係止孔４２との係合によって前記検知部材本体６１を初期位置に規制する位置決め係止部（第１係止手段）である係止突起６３と、内周に完全嵌合時に第１突部４８に係合する第２係止手段であるボス状の第２突部６７（図３参照）とを備えている。
【００３９】
前記検知部材本体６１は、ガイド部４３のガイド溝４３ａに摺動自在に嵌合するガイド突起６１ａが内側面に形成されていると共に、ガイド溝４３ａとガイド突起６１ａとの嵌合によって、雌雄コネクタ４０，５０の嵌合方向に沿ってスライド自在に雌コネクタ４０に装着される。
また、前記検知部材本体６１の外側面には、検知部材本体６１をスライド移動させる際に、手指で掴む滑り止め部６１ｂが設けられている。
【００４０】
前記係止突起６３は、検知部材本体６１の上壁の一部をなす弾性片である係止アーム６４の先端下部に突設されており、係止アーム６４の上方への弾性変位に伴って変位可能である。この係止突起６３は、その前端面を係止孔４２の前端面４２ａ（図３参照）に当接した状態で該係止孔４２内に上方から嵌入され、嵌合検知部材６０を初期位置に係合する。
【００４１】
また、前記係止突起６３の両側には、アーム突起６３ａが突設されており、嵌合検知部材６０の雌コネクタ４０への係合時に、前記係止孔４２両側のハウジング本体４０ｂに設けられた係止凹部４３ｂに係合される。これにより、雄コネクタ５０との嵌合前に可撓ロックアーム４１前端が下方に撓んで係止孔４２と係止突起６３との係合状態が解除されても嵌合検知部材６０が雌コネクタ４０から外れるようなことはない。
【００４２】
本実施形態において、嵌合検知部材６０をスライド移動させる適正嵌合検知位置は、係止突起６３が係止孔４２によって係止される初期位置に対して、雌コネクタ４０の前端寄りの位置に設定している。そのため、雌コネクタ４０には、前記嵌合検知部材６０が初期位置から前方の適正嵌合検知位置までスライド移動した時に、前記嵌合検知部材６０のスライド移動を規制する第１係止手段である検知部材係止部４９が設けられている。
前記検知部材係止部４９は、可撓ロックアーム４１のアーム部４５前端縁で、嵌合検知部材６０が適正嵌合検知位置までスライド移動した時に、係止突起６３の後端面６３ｂ（図６参照）を係止することで、嵌合検知部材６０を適正嵌合検知位置に位置決め固定する。この時、前記係止突起６３が前記検知部材係止部４９に係止されるときにクリック感を発生することで、雌雄コネクタ４０，５０相互の完全嵌合状態を検知することができる。
【００４３】
また、図３及び図５乃至図６に示すように、前記第２突部６７は前記検知部材本体６１の内周に位置し、完全嵌合に伴って嵌合検知部材６０が雌コネクタ４０の前方に移動することで、第１突部４８を乗り越えて係合する。嵌合検知部材６０が前記初期位置から前記適正嵌合検知位置へ移動する際の第１突部４８と第２突部６７の接触面は、係合しやすいよう互いに緩やかな傾斜面となっていると共に、完全嵌合後に嵌合検知部材６０の後方への戻りを防ぐため、嵌合検知部材６０が前記適正嵌合検知位置から後方へ移動しようとする際の第１突部４８と第２突部６７の接触面は、互いに急な傾斜面であることが望ましい。
これにより、嵌合検知部材６０と雌コネクタ４０の係止力が向上して、嵌合検知部材６０の前記適正嵌合検知位置への位置規制をさらに強固に保持することができる。また、第１突部４８と第２突部６７が係合するときにクリック感が発生し、雌雄コネクタ４０，５０相互の完全嵌合状態をこのクリック感によっても検知することができる。
【００４４】
更に、第１突部４８と第２突部６７との係り代高さＭは、係止孔４２と係合突起５１との係り代高さＬに比べて低くなっている（Ｌ＞Ｍ）。そのため、係合突起５１が係止孔４２に係合する際に要する挿入力に比べて、第２突部６７が第１突部４８を乗り越えて係合する際に要する挿入力が小さくなる。従って、雌雄コネクタ４０，５０相互の嵌合操作時における押圧慣性力によって検知部材６０移動操作を完了することができ、雌雄コネクタ４０，５０相互の嵌合操作と検知部材６０の移動操作を一度の押圧によって連続的に行うことができる。
【００４５】
図２及び図３に示すように本実施形態の嵌合検知部材６０は、初期位置に位置するときに、前記嵌合検知部材６０後端が雌コネクタ４０のハウジング後端から明確に突出するように延長部６５が設けられている。
そして、図６に示すように、この延長部６５後端は、適正嵌合検知位置に位置するときには雌コネクタ４０のハウジング後端に略一致するように設定されている。従って、この延長部６５は、嵌合検知部材６０の初期位置と適正嵌合検知位置とでは、雌コネクタ４０に対する位置が変わることで外観形態に顕著な差異が生じて、雌雄コネクタ４０，５０の嵌合状態を容易に検知することができる。
【００４６】
更に、本実施形態の嵌合検知部材６０は、前記嵌合検知部材６０が雌コネクタ４０に対して初期位置と適正嵌合検知位置に位置するときとでは、外観に明確な色彩変化が生じるように、嵌合検知部材６０の外表面と嵌合検知部材６０から露出する雌コネクタ４０のハウジング外表面とに異なる彩色が施されている。従って、前記嵌合検知部材が初期位置にあるか又は適正嵌合検知位置にあるかを、雌コネクタ４０と嵌合検知部材６０とで形成する彩色パターンを目視することで、雌雄コネクタ４０，５０の嵌合状態を容易に検知することができる。
【００４７】
上述したように本実施形態の半嵌合防止コネクタ３１においては、図２及び図３に示すように、雌コネクタ４０に装着された嵌合検知部材６０は、雌雄コネクタ４０，５０相互の嵌合前には、雌コネクタ４０の係止孔４２による係止で初期位置に雌コネクタ４０を覆うように位置規制されている。
そのため、雌雄コネクタ４０，５０相互を嵌合させるハウジング嵌合操作の際には、手指で雌コネクタ４０自体を保持することなく、嵌合検知部材６０自体と相手の雄コネクタ５０を掴んで完全嵌合までの嵌合操作を容易に行うことができる。
【００４８】
即ち、図４及び図５に示すように、雌雄コネクタ４０，５０相互の嵌合操作時においては、ハウジング相互の嵌合長が規定値に達して、雄コネクタ５０の係合突起５１がアーム部４５の下方から係止孔４２に嵌入する。この係合突起５１と係止孔４２との係合によって、雌雄コネクタ４０，５０相互の嵌合状態がロックされる。
【００４９】
この時、図５中矢印Ｂで示すように、係止孔４２に係合していた嵌合検知部材６０の係止突起６３が係合突起５１によって上方に押し出されて、嵌合検知部材６０の初期位置への位置規制が解除される。従って、嵌合検知部材６０は、雌コネクタ４０のハウジング前方に移動可能になる。
【００５０】
そして、ハウジング嵌合操作の完了時には、雌雄コネクタ４０，５０相互の嵌合状態の検知のために嵌合検知部材６０を初期位置から適正嵌合検知位置に移動させる検知部材移動操作を行う。即ち、ハウジング嵌合操作の際に嵌合検知部材６０を手指で掴んでいるので、検知部材移動操作の際には、嵌合検知部材を掴んでいる手指を持ち替えることなく、そのまま嵌合検知部材６０をハウジング前方に押す。これにより、雌雄コネクタ４０，５０相互の完全嵌合状態を検知するための検知部材移動操作を効率良く行うことができる。
【００５１】
また、前記検知部材移動操作は、ハウジング嵌合操作時と付勢方向が同一であるため、ハウジング嵌合操作を行うための押圧操作で、一挙に検知部材移動操作まで完了させることができ、雌雄コネクタ相互の接続時の操作数を低減させることができる。
【００５２】
そして、図６に示すように、前記嵌合検知部材６０が適正嵌合検知位置に到達すると、嵌合検知部材６０の係止突起６３がアーム部４５の前端縁である検知部材係止部４９に係止され、前記嵌合検知部材６０のスライド移動が規制される。従って、前記係止突起６３が前記検知部材係止部４９に係止されるときにクリック感を発生することで、雌雄コネクタ４０，５０相互の完全嵌合状態を検知することができる。
更に、嵌合検知部材６０が雌コネクタ４０の前方に移動することで、第２突部６７が第１突部４８を乗り越えて係合し、嵌合検知部材６０の前記適正嵌合検知位置への位置規制をさらに強固に保持する。
【００５３】
次に、雌雄ハウジング相互を離脱方向に引っ張るハウジング引張確認操作は、嵌合検知部材６０をハウジング後方側に引っ張れば、嵌合検知部材６０を介して雌コネクタ４０に伝達される。従って、前記検知部材移動操作から前記ハウジング引張確認操作に移行する際にも、嵌合検知部材を掴む手指の位置を変更することなくスムースに行うことができる。
【００５４】
前述したように雌雄コネクタ４０，５０相互を接続する際、ハウジング嵌合操作と検知部材移動操作とを嵌合検知部材６０を掴んで前方に付勢する一つの操作で同時に完了させることができ、雌雄コネクタ相互の接続時の操作数を低減させることができる。そして、次の操作に移る際に、双方の雄コネクタ５０及び嵌合検知部材６０の掴む手指の位置を変更することなく、次の操作に移行することができ、雌雄コネクタ４０，５０相互を接続する接続作業の効率を向上させることができる。
【００５５】
更に、第１突部４８と第２突部６７との係止によって、嵌合検知部材６０の前記適正嵌合検知位置への位置規制を強固に保持することができる。なお、第１突部４８と第２突部６７との係止は、雌雄コネクタ４０，５０相互の嵌合操作時における押圧慣性力によって行うことができる。そのため、ハウジング嵌合操作を行うための押圧操作で、一挙に検知部材移動操作まで完了させることができ、雌雄コネクタ相互の接続時の操作数を増加させることなく嵌合検知部材の位置規制を強固に保持することができる。
【００５６】
また、前記検知部材係止部４９がアーム部４５の前端縁であることで、検知部材係止部として専用の係止孔等を形成する必要がなく、可撓ロックアーム４１の複雑化を防止して、成形性を向上させることができる。
【００５７】
更に、前記嵌合検知部材６０が初期位置に位置するときは、該嵌合検知部材６０の延長部６５後端が雌コネクタ４０の後端から明確に突出すると共に、適正嵌合検知位置に位置するときには、雌コネクタ４０の後端に略一致するように設定されている。従って、保守点検等の際に嵌合検知部材６０が初期位置にあるか又は適正嵌合検知位置にあるかを、延長部６５後端が突出しているか否かを目視確認することで容易に検知することができ、保守点検時等における嵌合検知部材の位置確認作業を容易にすることができる。
【００５８】
また、前記嵌合検知部材６０が初期位置と適正嵌合検知位置に位置するときとで、外観に明確な色彩変化が生じるように、嵌合検知部材６０の外表面と嵌合検知部材６０から露出する雌コネクタ４０の外表面とに異なる彩色を施している。従って、保守点検等の際に嵌合検知部材が初期位置にあるか又は適正嵌合検知位置にあるかを、雌コネクタ４０と嵌合検知部材６０とで形成する彩色パターンを目視することでも容易に確認することができ、保守点検時等における嵌合検知部材６０の位置確認作業を容易にすることができる。
【００５９】
なお、本実施形態では、保守点検時等における嵌合検知部材６０の位置確認作業を容易にするために、上述した嵌合検知部材６０に延長部６５を設けると共に、嵌合検知部材６０及び雌コネクタ４０の彩色を相異させるという２つの対策を取り入れているが、何れか一つの対策のみにしても良い。
【００６０】
次に、本発明に係る半嵌合防止コネクタの第２実施形態を図７乃至図１０に基づいて説明する。図７は本発明の半嵌合防止コネクタの第２実施形態における雌コネクタハウジングと嵌合検知部材を示す分解斜視図、図８は第２実施形態における雌雄コネクタハウジング相互の嵌合中の状態を示す縦断面図、図９は図８における部分縦断面図、図１０は図８における雌雄コネクタハウジング相互の完全嵌合状態における部分縦断面図である。
なお、上記第１実施形態と同一構成の部材については、詳細な説明を省略する。
【００６１】
図７及び図８に示すように、本実施形態の半嵌合防止コネクタは、可撓ロックアーム７１を有する一方のコネクタハウジングである雌コネクタ７０と、前記可撓ロックアーム７１上に設けられたロック部である係止孔７２に係合する係合部である係合突起８１を有する他方のコネクタハウジングである雄コネクタ８０と、雌コネクタ７０に嵌合方向に沿ってスライド可能に装着される嵌合検知部材９０とから構成されている。
【００６２】
本実施形態の雌コネクタ７０は、図示していない雌形接続端子を収容保持する端子収容室７０ａが形成されたハウジング本体７０ｂと、該ハウジング本体の上面に形成された可撓ロックアーム７１と、嵌合検知部材９０をスライド可能に支持するためのガイド部７３とが一体成形された構造である。また、ハウジング本体７０ｂの前端には、フロントホルダ７０ｃが装着されており、ハウジング本体７０ｂと連続した端子収容室７０ａを形成している。
【００６３】
前記可撓ロックアーム７１は、ハウジング本体７０ｂ上面の略中央に立設された支柱部７４の上端に、ハウジング本体７０ｂの前後方向に沿って延びるアーム部７５を連設したもので、該アーム部７５が支柱部７４を支点に上下方向に可撓変位可能になっている。
【００６４】
また、前記可撓ロックアーム７１の係止孔７２は、アーム部７５の前端寄りの位置に設けられている。また、アーム部７５の後端の両側面には、第２係止手段である係止突部７６が設けられている。この係止突部７６には、検知部材９０の移動操作時に係止片９６に摺接するテーパ面７６ａ（図９参照）が形成されている。
【００６５】
また、本実施形態の他方のコネクタハウジングである雄コネクタ８０は、上述した第１実施形態における雄コネクタ５０と類似した構成であり、ハウジング本体８０ｂの上面に、前記係止孔７２に係合する係合突起８１を備えている。
【００６６】
また、本実施形態の嵌合検知部材９０は、雌雄コネクタ７０，８０相互の嵌合方向に沿ってスライド可能に雌コネクタ７０の外周に嵌合して前記ハウジング本体７０ｂの周囲を覆う略筒状の検知部材本体９１と、前記係止孔７２との係合によって検知部材本体９１を初期位置に規制する位置決め係止部（第１係止手段）である係止突起９３とを備えている。また、検知部材本体９１は、ガイド部７３に摺動自在に嵌合するガイド溝９２が内側面に形成されており、ガイド部７３とガイド溝９２との嵌合によって、雌雄コネクタ７０，８０の嵌合方向に沿ってスライド自在に雌コネクタ７０に装着される。そして、雌雄コネクタ７０，８０相互の嵌合前は、嵌合検知部材９０は係止孔７２との係合によって初期位置に位置規制される。この嵌合検知部材９０の適正嵌合検知位置へのスライド移動の可否によって、雌雄コネクタ７０，８０相互の中途嵌合状態を検知することができる。
【００６７】
前記係止突起９３は、検知部材本体９１の上壁の一部をなす弾性片である係止アーム９４の先端下部に突設されており、係止アーム９４の上方への弾性変位に伴って変位可能である。この係止突起９３は、その前端面を係止孔７２の前端面７２ａに当接した状態で該係止孔７２内に上方から嵌入され、嵌合検知部材９０を初期位置に係合する。
【００６８】
本実施形態において、嵌合検知部材９０をスライド移動させる適正嵌合検知位置は、係止突起９３が係止孔７２によって係止される初期位置に対して、雌コネクタ７０の前端寄りの位置に設定している。そのため、雌コネクタ７０には、前記嵌合検知部材９０が初期位置から前方の適正嵌合検知位置までスライド移動した時に、前記嵌合検知部材９０のスライド移動を規制する第１係止手段である検知部材係止部７９が設けられている。
検知部材係止部７９は、可撓ロックアーム７１のアーム部７５の前端縁で、嵌合検知部材９０が適正嵌合検知位置までスライド移動した時に、係止突起９３の後端面９３ｂを係止することで、嵌合検知部材９０を適正嵌合検知位置に位置決め固定する。この時、前記係止突起９３が前記検知部材係止部７９に係止されるときにクリック感を発生することで、雌雄コネクタ７０，８０相互の完全嵌合状態を検知することができる。
【００６９】
図７乃至図９に示すように、本実施形態の嵌合検知部材９０は、初期位置に位置するときに、前記嵌合検知部材９０後端が雌コネクタ７０のハウジング後端から明確に突出するように延長部９５が設けられている。延長部９５の内側面上端付近には第２係止手段である係止片９６が内方に向かって突設されており、検知部材９０の移動操作時に係止突部７６に摺接するテーパ面９６ａが形成されている。
そして、図１０に示すように、この延長部９５後端は、適正嵌合検知位置に位置するときには雌コネクタ７０のハウジング後端面に略一致するように設定されている。従って、この延長部９５は、嵌合検知部材９０の初期位置と適正嵌合検知位置とでは、雌コネクタ７０に対する位置が変わることで外観形態に顕著な差異が生じて、雌雄コネクタ７０，８０の嵌合状態を容易に検知することができる。
【００７０】
更に、本実施形態の嵌合検知部材９０は、上述した第１実施形態と同様に、前記嵌合検知部材９０が雌コネクタ７０に対して初期位置と適正嵌合検知位置に位置するときとでは、外観に明確な色彩変化が生じるように、嵌合検知部材９０の外表面と嵌合検知部材９０から露出する雌コネクタ７０のハウジング外表面とに異なる彩色が施されている。
従って、保守点検等の際に嵌合検知部材が初期位置にあるか又は適正嵌合検知位置にあるかを、雌コネクタ７０と嵌合検知部材９０とで形成する彩色パターンを目視することでも容易に確認することができる。
【００７１】
図８に示すように、雌雄コネクタ７０，８０相互の嵌合操作時においては、ハウジング相互の嵌合長が規定値に達して、雄コネクタ８０の係合突起８１がアーム部７５の下方から係止孔７２に嵌入する。この係合突起８１と係止孔７２との係合によって、雌雄コネクタ７０，８０相互の嵌合状態がロックされる。
【００７２】
この時、係止孔７２に係合していた嵌合検知部材９０の係止突起９３が係合突起８１によって上方に押し出されて、嵌合検知部材９０の初期位置への位置規制が解除される。従って、嵌合検知部材９０は、雌コネクタ７０のハウジング前方に移動可能になる。
【００７３】
また、図９に示すように、嵌合検知部材９０が初期位置に位置するときは、係止突起７６と係止片９６とが互いのテーパ面９６ａ，７６ａで当接している。ハウジング嵌合操作の完了時には、雌雄コネクタ７０，８０相互の嵌合状態の検知のために嵌合検知部材９０の移動操作が行われて、嵌合検知部材９０が前方にスライド移動される。このスライド移動に伴って、テーパ面９６ａ，７６ａが互いに摺接して係止片９６が前方に移動するとともに、可撓ロックアーム７１の後方が下方に変位する。
【００７４】
そして、係止突部７６が係止片９６を乗り越えると、図１０に示すように係止突起７６は可撓ロックアーム７１の付勢力によって上方に変位して、係止突起７６の前端面と係止片９６の後端面とが当接して係合する。この時、嵌合検知部材９０が適正嵌合検知位置に位置決めされて嵌合検知部材９０の後端と雌コネクタ７０の後端面とが略一致した状態になる。これにより、雌雄コネクタ７０，８０の嵌合状態を容易に検知することができる。
【００７５】
更に、検知部材移動操作の完了時には、上述した第１実施形態（図６参照）と同様に、検知部材係止部７９と係止突起９３の後端面９３ｂとの係止によって嵌合検知部材９０が適正嵌合検知位置に位置決めされる。
従って、雌コネクタ７０と嵌合検知部材９０とを相互に係止する係止手段として、係止突部７６と係止片９６との係止と、検知部材係止部７９と係止突起９３の後端面９３ｂとの係止の２箇所で行われているため、雌コネクタ７０と嵌合検知部材９０との係止をより強固にすることができる。
【００７６】
なお、前記検知部材移動操作は、ハウジング嵌合操作時と付勢方向が同一であるため、ハウジング嵌合操作を行うための押圧操作で、一挙に検知部材移動操作まで完了させることができ、雌雄コネクタ相互の接続時の操作数を低減させることができる。さらに、第１，第２係止手段が上面に位置しているので、係止状態を目視で確認することができ、雌雄コネクタハウジング相互の嵌合状態を目視で検知することができる。
【００７７】
また、図８及び図９に示すように、雄コネクタ８０の係合突起８１がアーム部７５の下方から係止孔７２に嵌入する際にアーム部７５が係合突起８１に摺接する傾斜角Ｘ°に対して、係止突部７６が係止片９６に係合する際に係止突部７６のテーパ面７６ａが摺接する係止片９６のテーパ面９６ａの傾斜角Ｙ°が小さくなっている（Ｘ°＞Ｙ°）。そのため、係合突起８１が係止孔７２に係合する際に要する挿入力に比べて、係止突部７６が係止片９６を乗り越えて係合する際に要する挿入力が小さくなる。従って、雌雄コネクタ７０，８０相互の嵌合操作時における押圧慣性力によって検知部材９０の移動操作を完了することができ、雌雄コネクタ７０，８０相互の嵌合操作と検知部材９０の移動操作を一度の押圧によって連続的に行うことができる。
【００７８】
次に、前記検知部材移動操作からハウジング引張確認操作に移行する際にも、前記第１実施形態と同様に、嵌合検知部材９０を掴む手指の位置を変更することなくスムースに行うことができる。
【００７９】
また、雌コネクタ７０と雄コネクタ８０が嵌合して、雄コネクタ８０の係合突起８１が係止孔７２に係合している状態で、アーム部７５の後端を押下すると、アーム部７５の前端が上方に変位して係止孔７２と係合突起８１との係合状態を解除することができると共に、アーム部７５の後端が下方に変位して係止突起７６と係止片９６との係合状態を解除することができる。
さらに、第１，第２係止手段が上面に位置していることにより、係止手段の解除操作を目視で確認しながら行うことができるので、解除操作性が良好となる。
【００８０】
次に、本発明に係る半嵌合防止コネクタの第３実施形態を図１１乃至図１４に基づいて説明する。図１１は本発明の半嵌合防止コネクタの第３実施形態における雌コネクタハウジングを示す斜視図、図１２は第３実施形態における嵌合検知部材を示す斜視図、図１３は図１２に示した嵌合検知部材が雌コネクタハウジングの初期位置に嵌合した状態における部分縦断面図、図１４は図１３における雌雄コネクタハウジング相互の完全嵌合状態における部分縦断面図である。
なお、上記第１実施形態と同一構成の部材については、詳細な説明を省略する。
【００８１】
図１１及び図１２に示すように、本実施形態の半嵌合防止コネクタは、可撓ロックアーム１０１を有する一方のコネクタハウジングである雌コネクタ１００と、該雌コネクタ１００に連結される他方のコネクタハウジングである雄コネクタ（図示せず）と、雌コネクタ１００にスライド可能に装着され、スライド移動の可否によって雌雄コネクタハウジング相互の中途嵌合状態を検知する嵌合検知部材１１０とを備えている。
【００８２】
本実施形態の雌コネクタ１００は、図示していない端子収容室が形成されたハウジング本体１００ｂと、該ハウジング本体の上面に形成された可撓ロックアーム１０１と、後述する嵌合検知部材１１０をスライド可能に支持するためのガイド部１０３と、嵌合検知部材１１０を係止する検知部材係止アーム１０６が一体成形された構造である。また、ハウジング本体１００ｂの前端には、フロントホルダ１００ｃが装着されており、ハウジング本体１００ｂと連続した端子収容室を形成している。
【００８３】
前記可撓ロックアーム１０１は、ハウジング本体１００ｂ上面の略中央に立設された支柱部（図示せず）の上端に、ハウジング本体１００ｂの前後方向に沿って延びるアーム部１０５を連設したもので、該アーム部１０５が前記支柱部を支点に上下方向に可撓変位可能になっている。また、係止孔１０２は、アーム部１０５の前端寄りの位置に設けられている。
【００８４】
また、可撓ロックアーム１０１の一方の側部に隣接した位置には、後述する嵌合検知部材１１０の係止壁１１６と係合する、第２係止手段である検知部材係止アーム１０６がハウジング本体１００ｂの側部から立設されている。この検知部材係止アーム１０６の後端上部には、掛り爪１０７が設けられている。この掛り爪１０７が後述する係止壁１１６に係合することにより嵌合検知部材１１０の後方への移動を規制する。さらに、検知部材係止アーム１０６の側面には、後述する嵌合検知部材１１０のガイド溝１１７に摺動可能に嵌合するガイド用突起１０８が形成されている。
【００８５】
また、図示はしないが、本実施形態の他方のコネクタハウジングである雄コネクタは、上述した第１，第２実施形態における雄コネクタ５０，８０と類似した構成であり、ハウジング本体の上面に、前記係止孔１０２に係合する前記係合突起を備えている。
【００８６】
また、本実施形態の嵌合検知部材１１０は、検知部材本体１１１の上壁の一部をなす弾性片である係止アーム１１４の先端下部に、係止孔１０２との係合によって検知部材本体１１１を初期位置に規制する位置決め係止部（第１係止手段）である係止突起（図示せず）を備えている。
また、検知部材本体１１１の上壁の後方には、雌コネクタ１００の掛り爪１０７を係止する第２係止手段である係止壁１１６が後方下がりに傾斜して形成されている。検知部材本体１１１は、スライド可能なように雌コネクタ１００に装着され、嵌合検知部材１１０の適正嵌合検知位置へのスライド移動の可否によって、雌雄コネクタ相互の中途嵌合状態を検知することができる。
【００８７】
また、本実施形態における適正嵌合検知位置は、上述した第１，第２実施形態と同様、前記係止突起が係止孔１０２によって係止される初期位置に対して、雌コネクタ１００の前端寄りの位置に設定している。そのため、雌コネクタ１００には、前記嵌合検知部材１１０が初期位置から前方の適正嵌合検知位置までスライド移動した時に、前記嵌合検知部材１１０のスライド移動を規制する係止手段である検知部材係止部１０９が設けられている。
【００８８】
図１３に示すように、本実施形態の嵌合検知部材１１０は、初期位置に位置するときに、嵌合検知部材１１０後端が雌コネクタ１００のハウジング後端から明確に突出するように延長部１１５が設けられている。また、該延長部１１５は、完全嵌合時に雌コネクタ１００が嵌合検知部材の後端より後方に移動しないように、内方へ張り出した形状を有している。
【００８９】
本実施形態において、雌雄コネクタ相互の嵌合操作時には、ハウジング相互の嵌合長が規定値に達すると、雄コネクタの係合突起が係止孔１０２に嵌入して、雌雄コネクタ相互の嵌合状態がロックされる。また、嵌合検知部材１１０の初期位置への位置規制が解除されて、前方への移動が可能になる。
【００９０】
ハウジング嵌合操作の完了時には、雌雄コネクタ相互の嵌合状態の検知のために嵌合検知部材１１０の移動操作が行われて、嵌合検知部材１１０が前方にスライド移動される。このスライド移動に伴って、係止壁１１６が掛り爪１０７に摺接して前方（図１３左方向）へ進み、検知部材係止アーム１０６を下方に弾性変位させる。
【００９１】
そして、掛り爪１０７が係止壁１１６を乗り越えると、図１４に示すように掛り爪１０７は検知部材係止アーム１０６の付勢力によって上方に変位して、掛り爪１０７の前端面と係止壁１１６の後端面とが当接して係合する。この時、嵌合検知部材１１０が適正嵌合検知位置に位置決めされて嵌合検知部材１１０の後端と雌コネクタ１００の後端面とが略一致した状態になる。これにより、雌雄コネクタの嵌合状態を容易に検知することができる。
【００９２】
更に、検知部材移動操作の完了時には、上述した第１，第２実施形態と同様に、検知部材係止部１０９と前記係止突起の後端面との係止によって嵌合検知部材１１０が適正嵌合検知位置に位置決めされる。
従って、雌コネクタ１００と嵌合検知部材１１０とを相互に係止する係止手段として、掛り爪１０７と係止壁１１６との係止と、検知部材係止部１０９と前記係止突起の後端面との係止の２箇所で行われているため、雌コネクタ１００と嵌合検知部材１１０との係止をより強固にすることができる。
さらに、第１，第２係止手段が上面に位置しているので、係止状態を目視で確認することができ、雌雄コネクタハウジング相互の嵌合状態を目視で検知することができる。
【００９３】
なお、前記検知部材移動操作は、ハウジング嵌合操作時と付勢方向が同一であるため、ハウジング嵌合操作を行うための押圧操作で、一挙に検知部材移動操作まで完了させることができ、雌雄コネクタ相互の接続時の操作数を低減させることができる。
【００９４】
次に、前記検知部材移動操作からハウジング引張確認操作に移行する際にも、嵌合検知部材１１０を掴む手指の位置を変更することなくスムースに行うことができる。
また、掛り爪１０７と係止壁１１６の係止解除操作は、掛り爪１０７を下方に押し下げて嵌合検知部材１１０を後方にスライド移動させれば良い。
さらに、第１，第２係止手段が上面に位置していることにより、係止手段の解除操作を目視で確認しながら行うことができるので、解除操作性が良好となる。
【００９５】
次に、本発明に係る半嵌合防止コネクタの第４実施形態を図１５乃至図１７に基づいて説明する。図１５は本発明の半嵌合防止コネクタの第４実施形態における嵌合検知部材が雌コネクタハウジングの初期位置に嵌合した状態を示す縦断面図、図１６は図１５における嵌合検知部材が適正嵌合検知位置へスライド移動中の状態を示す斜視図、図１７は図１６に示した雌雄コネクタハウジング相互の完全嵌合状態を示す縦断面図である。
なお、上記第１実施形態と同一構成の部材については、詳細な説明を省略する。
【００９６】
図１５乃至図１７に示すように、本実施形態の半嵌合防止コネクタは、上記第１実施形態の構成と非常に類似した構成であり、可撓ロックアーム１２１を有する一方のコネクタハウジングである雌コネクタ１２０と、前記可撓ロックアーム１２１のロック部である係止孔１２２に係合する係合部である係合突起１３１を有する他方のコネクタハウジングである雄コネクタ１３０と、雌コネクタ１２０にスライド可能に装着され、スライド移動の可否によって雌雄コネクタ１２０，１３０相互の中途嵌合状態を検知する嵌合検知部材１４０とを備えている。
【００９７】
また、本実施形態の半嵌合防止コネクタは、前記第１実施形態における第１突部４８及び第２突部６７の代替係止手段として、雌コネクタ１２０の底部後方に形成された可撓係止部１２６と、嵌合検知部材１４０の側壁下部に渡設された係止リブ１４６を有することを特徴とする。また、嵌合検知部材１４０の底面後方には、可撓係止部１２６と係止リブ１４６との係止を解除するための解除アーム１４７が形成されている。
【００９８】
可撓係止部１２６は、雌コネクタ１２０と嵌合検知部材１４０とを相互に係止する第２係止手段であって、ハウジング本体１２０ｂの後方の底壁の一部をなす弾性片であり、上方に弾性変位可能である。嵌合検知部材１４０が初期位置から前方にスライド移動するときには、可撓係止部１２６の下方の傾斜面が係止リブ１４６に摺接して、可撓係止部１２６が上方に弾性変位する。嵌合検知部材１４０を適正嵌合検知位置に位置規制する際には、この可撓係止部１２６の前端面によって係止リブ１４６を係止する。
【００９９】
係止リブ１４６は、雌コネクタ１２０と嵌合検知部材１４０とを相互に係止する第２係止手段であって、嵌合検知部材本体１４１の底面より僅かに上方の内側壁間に渡設されている。嵌合検知部材１４０が初期位置から前方にスライド移動するときには、係止リブ１４６が可撓係止部１２６を上方に撓ませて可撓係止部１２６の前方に移動する。嵌合検知部材１４０が適正嵌合検知位置に達すると、係止リブ１４６の後端が可撓係止部１２６の前端に当接して雌コネクタ１２０の前方へのスライド移動を規制する。
【０１００】
図１５に示すように、雌コネクタ１２０に装着された嵌合検知部材１４０は、雌雄コネクタハウジング相互の嵌合前には、位置決め係止部（第１係止手段）である係止突起１４３が、その前端面を係止孔１２２の前端面１２２ａに当接した状態で係止孔１２２に嵌入して初期位置に係止される。この時、嵌合検知部材１４０の延長部１４５後端が雌コネクタ１２０の後端面から明確に突出しているので、嵌合検知部材１４０が初期位置にあることを目視で確認できる。
【０１０１】
図１６に示すように、雌雄コネクタ１２０，１３０相互の嵌合操作時には、雄コネクタ１３０の係合突起１３１がアーム部１２５の下方から係止孔１２２に嵌入する。この係合突起１３１と係止孔１２２との係合によって、雌雄コネクタ１２０，１３０相互の嵌合状態がロックされる。
【０１０２】
雌雄コネクタ１２０，１３０相互の嵌合完了とともに、嵌合検知部材１４０は初期位置への位置規制が解除されて、雌コネクタ１２０の前方に移動可能になる。そして、係止アーム１４４が上方に弾性変位した状態で、検知部材１４０の移動操作によって嵌合検知部材１４０が前方にスライド移動される。この時、検知部材１４０のスライド移動に伴って係止リブ１４６の傾斜した上面が可撓係止部１２６の下方の傾斜面に摺接して、可撓係止部１２６を上方に弾性変位させる。
【０１０３】
図１７に示すように、可撓係止部１２６が係止リブ１４６を乗り越えると、可撓係止部１２６は下方に変位して、可撓係止部１２６の後端面と係止リブ１４６の前端面とが当接する。この時、嵌合検知部材１１０が適正嵌合検知位置に位置決めされて嵌合検知部材１４０の後端と雌コネクタ１２０の後端面とが略一致した状態になる。これにより、雌雄コネクタの嵌合状態を容易に検知することができる。
【０１０４】
更に、検知部材移動操作の完了時には、第１係止手段である検知部材係止部１２９と係止突起１４３の後端面１４３ｂとの係止によって嵌合検知部材１４０が適正嵌合検知位置に位置決めされる。
従って、雌コネクタ１２０と嵌合検知部材１４０とを相互に係止する係止手段として、可撓係止部１２６と係止リブ１４６との係止と、検知部材係止部１２９と係止突起１４３の後端面１４３ｂとの係止の２箇所で行われているため、雌コネクタ１２０と嵌合検知部材１４０との係止をより強固にすることができる。
【０１０５】
なお、前記検知部材移動操作は、ハウジング嵌合操作時と付勢方向が同一であるため、ハウジング嵌合操作を行うための押圧操作で、一挙に検知部材移動操作まで完了させることができ、雌雄コネクタ相互の接続時の操作数を低減させることができる。
【０１０６】
次に、前記検知部材移動操作からハウジング引張確認操作に移行する際にも、前記第１実施形態と同様に、嵌合検知部材１４０を掴む手指の位置を変更することなくスムースに行うことができる。
また、可撓係止部１２６と係止リブ１４６の係止解除操作は、解除アーム１４７を上方に押し上げ、可撓係止部１２６を上方に弾性変位させて嵌合検知部材１４０を後方にスライド移動させれば良い。
【０１０７】
【発明の効果】
以上説明したように本発明の請求項１記載の半嵌合防止コネクタの組み付け方法によれば、コネクタハウジング相互の嵌合前は、嵌合検知部材が、一方のコネクタハウジングの外周に嵌合すると共にロック部と位置決め係止部との係合によって初期位置に位置規制され、コネクタハウジング相互の嵌合操作時には、一方のコネクタハウジングに装着された嵌合検知部材を該一方のコネクタハウジングの嵌合方向前方に押すことで、他方のコネクタハウジングの係合部を可撓ロックアームのロック部に係合させて、コネクタハウジング相互が完全嵌合されると共に、係合部のロック部への係合に伴って位置決め係止部がロック部から押し出されて、一方のコネクタハウジングの初期位置に対する嵌合検知部材の位置規制が解除されて、更に嵌合検知部材が初期位置から一方のコネクタハウジングの前端寄りの適正嵌合検知位置にスライド移動すると共に、嵌合検知部材を適正嵌合検知位置に位置規制するために嵌合検知部材に複数設けられた係止手段により嵌合検知部材が適正嵌合検知位置に位置規制されることでコネクタハウジング相互の完全嵌合状態を検知する。
【０１０８】
前記構成の半嵌合防止コネクタの組み付け方法によれば、一方のコネクタハウジングに装着された嵌合検知部材を嵌合方向前方に押すことで、コネクタハウジング相互が完全嵌合されて、更に嵌合検知部材が適正嵌合検知位置にスライド移動すると共に位置規制される。そのため、コネクタハウジング相互の嵌合操作と検知部材移動操作を１回の押圧操作によって完了させることができる。
【０１０９】
また、本発明の請求項２記載の半嵌合防止コネクタによれば、嵌合検知部材は、コネクタハウジング相互の嵌合方向に沿ってスライド可能に前記一方のコネクタハウジングの外周に嵌合する略筒状の検知部材本体と、ロック部との係合によって検知部材本体を初期位置に規制する位置決め係止部とを備えると共に、コネクタハウジング相互の嵌合前は、ロック部と位置決め係止部の係合によって初期位置に位置規制され、且つ前記コネクタハウジング相互の完全嵌合時は、係合部のロック部への係合に伴って位置決め係止部がロック部から押し出されてロック部との係合状態が解除されることで、検知部材本体が初期位置から一方のコネクタハウジングの前端寄りの適正嵌合検知位置にスライド移動すると共に、一方のコネクタハウジングと嵌合検知部材とを相互に係止するために嵌合検知部材に複数設けられた係止手段によって、嵌合検知部材が適正嵌合検知位置に位置規制される。
【０１１０】
前記構成の半嵌合防止コネクタによれば、一方のコネクタハウジングに装着された嵌合検知部材は、他方のコネクタハウジングへの嵌合前には、ロック部との係止により一方のコネクタハウジングの外周を略覆うように初期位置に位置規制されている。従って、一組の雌雄コネクタハウジング相互を嵌合させるハウジング嵌合操作の際には、嵌合検知部材を手指で掴んだまま嵌合操作を行うことができる。
【０１１１】
また、前記ハウジング嵌合操作の終了後には、雌雄コネクタハウジング相互の嵌合状態の検知のために嵌合検知部材を初期位置から適正嵌合検知位置に移動させる検知部材移動操作を行う。この時、ハウジング嵌合操作の際に嵌合検知部材を手指で掴んでいれば、嵌合検知部材を掴んでいる手指の位置を変更することなく嵌合検知部材をハウジング前方に押すだけで一挙に検知部材移動操作まで完了させることができる。従って、コネクタハウジング相互の接続時の操作数を低減させることができる。
【０１１２】
更に、嵌合検知部材が適正嵌合検知位置に到達すれば、嵌合検知部材の位置決め係止部が一方のコネクタハウジング上の検知部材係止部に係合して、嵌合検知部材のスライド移動が規制される。
従って、雌雄ハウジング相互を離脱方向に引っ張るハウジング引張確認操作は、引き続いて嵌合検知部材をハウジング後方側に引っ張れば良く、嵌合検知部材を持つ手指の位置等を変更する必要がない。よって、コネクタハウジング相互の接続時の操作数を低減させることができ、コネクタハウジング相互を接続する際の作業効率を向上させることができる。
【０１１３】
また、本発明の請求項３記載の半嵌合防止コネクタによれば、前記嵌合検知部材は、初期位置では前記一方のコネクタハウジングの後端から突出すると共に前記適正嵌合検知位置では前記一方のコネクタハウジングの外周上に位置する延長部を備え、前記延長部の位置が前記嵌合検知部材の前記初期位置と前記適正嵌合検知位置とで顕著に異なっている。
従って、組み付け時や保守点検等の際に嵌合検知部材が初期位置にあるか又は適正嵌合検知位置にあるかを前記延長部の位置の目視で容易に確認することができる。
【０１１４】
また、本発明の請求項４記載の半嵌合防止コネクタによれば、係止手段は、嵌合検知部材を一方のコネクタハウジングの前方位置で係止する第１係止手段と、一方のコネクタハウジングの後方位置で係止する第２係止手段とからなる。
従って、嵌合検知部材の適正嵌合検知位置への係止を、嵌合検知部材の前方と後方で行うことができる。そのため、嵌合検知部材を適正嵌合検知位置に強固に係止することができる。
【０１１５】
また、本発明の請求項５記載の半嵌合防止コネクタによれば、第１係止手段は、位置決め係止部と、可撓ロックアームの先端縁である検知部材係止部からなる。
従って、第１係止手段として専用の係止孔等を形成する必要がなく、位置決め係止部と、可撓ロックアームの先端縁である検知部材係止部によって第１係止手段を構成することができ、嵌合検知部材及び一方のコネクタハウジングの構成形状を簡素化することができる。
【０１１６】
また、本発明の請求項６記載の半嵌合防止コネクタによれば、第２係止手段は、一方のコネクタハウジングの底部後方に設けられた第１突部と、嵌合検知部材内周の底部に設けられた第２突部、又は一方のコネクタハウジングの底部後方に設けられた可撓係止部と、嵌合検知部材内周の側壁下部に渡設された係止リブである。
従って、嵌合検知部材の適正嵌合検知位置への係止を嵌合検知部材の前方上部と後方底部で行うことができ、嵌合検知部材と一方のコネクタハウジングとのガタ付きを抑えて、さらに強固に係止することができる。
【０１１７】
また、本発明の請求項７記載の半嵌合防止コネクタによれば、第２係止手段は、可撓ロックアーム後端の両側面に設けられた係止突部と、嵌合検知部材後端の両内側面上部に設けられた係止片、又は可撓ロックアームの側部に隣接した後端上部に掛り爪を有する検知部材係止アームと、嵌合検知部材の上壁後方に設けられた係止壁である。
従って、第１，第２係止手段が上面に位置しているので、係止状態を目視で確認することができ、コネクタハウジングの嵌合状態を目視で検知することができる。さらに、第１，第２係止手段が上面に位置していることで、係止手段の解除操作を目視で確認しながら行うことができるので、解除操作性を向上させることができる。
【０１１８】
また、本発明の請求項８記載の半嵌合防止コネクタによれば、嵌合検知部材は、係止手段によって適正嵌合検知位置に位置規制される時に要する挿入力がコネクタハウジング相互の嵌合に要する挿入力より小さくなるように設定されている。
また、本発明の請求項９記載の半嵌合防止コネクタによれば、第１突部と前記第２突部との係り代高さは、前記ロック部と前記係合部との係り代高さに比べて低く設定されているか、又は前記係止片のテーパ面の傾斜角度は、前記係合部の傾斜角度より小さく設定されている。
従って、コネクタハウジング相互の嵌合操作に要する挿入力に比べて検知部材移動操作に要する挿入力が小さいので、コネクタハウジング相互の嵌合操作時における押圧慣性力によって検知部材移動操作を行うことができる。従って、コネクタハウジング相互の嵌合操作と検知部材移動操作を一度の押圧によって連続的に行うことができる。
【０１１９】
また、本発明の請求項１０記載の半嵌合防止コネクタによれば、嵌合検知部材の初期位置と適正嵌合検知位置とで、一方のコネクタハウジングの外観に明確な色彩変化が生じるように、嵌合検知部材の外表面と、少なくとも嵌合検知部材から露出する前記一方のコネクタハウジングの外表面とに異なる彩色を施されている。
従って、組み付け時や保守点検等の際に嵌合検知部材が初期位置にあるか又は適正嵌合検知位置にあるかを、一方のコネクタハウジングと嵌合検知部材とで形成する彩色パターンを目視することで容易に確認することができる。よって、保守点検時等における一組の雌雄コネクタハウジング相互の嵌合状態を容易に確認することができる。
【図面の簡単な説明】
【図１】本発明の半嵌合防止コネクタの第１実施形態を示す分解斜視図である。
【図２】図１における雌コネクタハウジングに嵌合検知部材を組み付けた状態を示す斜視図である。
【図３】図２における縦断面図である。
【図４】図１における雌雄コネクタハウジング相互の嵌合中の状態を示す斜視図である。
【図５】図４における縦断面図である。
【図６】図５における雌雄コネクタハウジング相互の完全嵌合状態を示す縦断面図である。
【図７】本発明の半嵌合防止コネクタの第２実施形態における雌コネクタハウジングと嵌合検知部材を示す分解斜視図である。
【図８】第２実施形態における雌雄コネクタハウジング相互の嵌合中の状態を示す縦断面図である。
【図９】図８における部分縦断面図である。
【図１０】図８における雌雄コネクタハウジング相互の完全嵌合状態における部分縦断面図である。
【図１１】本発明の半嵌合防止コネクタの第３実施形態における雌コネクタハウジングを示す斜視図である。
【図１２】図１２は第３実施形態における嵌合検知部材を示す斜視図である。
【図１３】図１２に示した嵌合検知部材が図１１に示した雌コネクタハウジングの初期位置に嵌合した状態における部分縦断面図である。
【図１４】図１３における雌雄コネクタハウジング相互の完全嵌合状態における部分縦断面図である。
【図１５】本発明の半嵌合防止コネクタの第４実施形態における嵌合検知部材が雌コネクタハウジングの初期位置に嵌合した状態を示す縦断面図である。
【図１６】図１５における嵌合検知部材が適正嵌合検知位置へスライド移動中の状態を示す斜視図である。
【図１７】図１６に示した雌雄コネクタハウジング相互の完全嵌合状態を示す縦断面図である。
【図１８】従来の半嵌合防止コネクタの嵌合前の状態を示す縦断面図である。
【図１９】図１８における雄コネクタハウジングと嵌合検知部材の分解斜視図である。
【図２０】図１８における嵌合途中の状態を示す要部の部分縦断面図である。
【図２１】図１８における一方のコネクタハウジングのロック部に他方のコネクタハウジングの係合部が係合した状態を示す部分縦断面図である。
【図２２】図１８におけるコネクタハウジング相互の嵌合が完了して、嵌合検知部材の適正嵌合検知位置へのスライド移動が完了した状態を示す部分縦断面図である。
【符号の説明】
３１  半嵌合防止コネクタ（第１実施形態）
４０  雌コネクタ（一方のコネクタハウジング、第１実施形態）
４１  可撓ロックアーム
４２  係止孔（ロック部）
４３  ガイド部
４８  第１突部
４９  検知部材係止部
５０  雄コネクタ（他方のコネクタハウジング、第１実施形態）
５１  係合突起（係合部）
６０  嵌合検知部材（第１実施形態）
６１  検知部材本体
６３  係止突起（位置決め係止部）
６４  係止アーム（弾性片）
６５  延長部
６７  第２突部
７０  雌コネクタ（一方のコネクタハウジング、第２実施形態）
７１  可撓ロックアーム
７２  係止孔（ロック部）
７６  係止突部
７９  検知部材係止部
８０  雄コネクタ（他方のコネクタハウジング、第２実施形態）
８１  係合突起（係合部）
９０  嵌合検知部材（第２実施形態）
９１  検知部材本体
９３  係止突起（位置決め係止部）
９４  係止アーム（弾性片）
９５  延長部
９６  係止片
１００  雌コネクタ（一方のコネクタハウジング、第３実施形態）
１０１  可撓ロックアーム
１０２  係止孔（ロック部）
１０６  検知部材係止アーム
１０７  掛り爪
１０９  検知部材係止部
１１０  嵌合検知部材（第３実施形態）
１１１  検知部材本体
１１４  係止アーム（弾性片）
１１５  延長部
１１６  係止壁
１２０  雌コネクタ（一方のコネクタハウジング、第４実施形態）
１２１  可撓ロックアーム
１２２  係止孔（ロック部）
１２６  可撓係止部
１２９  検知部材係止部
１３０  雄コネクタ（他方のコネクタハウジング、第４実施形態）
１３１  係合突起（係合部）
１４０  嵌合検知部材（第４実施形態）
１４１  検知部材本体
１４３  係止突起（位置決め係止部）
１４４  係止アーム（弾性片）
１４５  延長部
１４６  係止リブ
１４７  解除アーム
【図１】
0003920055.tif 000002
【図２】
0003920055.tif 000003
【図３】
0003920055.tif 000004
【図４】
0003920055.tif 000005
【図５】
0003920055.tif 000006
【図６】
0003920055.tif 000007
【図７】
0003920055.tif 000008
【図８】
0003920055.tif 000009
【図９】
0003920055.tif 000010
【図１０】
0003920055.tif 000011
【図１１】
0003920055.tif 000012
【図１２】
0003920055.tif 000013
【図１３】
0003920055.tif 000014
【図１４】
0003920055.tif 000015
【図１５】
0003920055.tif 000016
【図１６】
0003920055.tif 000017
【図１７】
0003920055.tif 000018
【図１８】
0003920055.tif 000019
【図１９】
0003920055.tif 000020
【図２０】
0003920055.tif 000021
【図２１】
0003920055.tif 000022
【図２２】
0003920055.tif 000023